Podtech/llm-jp-corpus-v4-ja_patent huggingface dataset:
【手続補正書】
【提出日】平成28年9月20日(2016.9.20)
【手続補正１】
【補正対象書類名】特許請求の範囲
【補正対象項目名】全文
【補正方法】変更
【補正の内容】
【特許請求の範囲】
【請求項１】
軸方向から治具が嵌め込まれる柱部材と、
前記柱部材の軸方向第１端部に設けられているとともに第１の被締結体に締結される第１のネジと、
前記柱部材の軸方向第２端部に設けられているとともに第２の被締結体に締結される第２のネジと、を備え、
前記柱部材の軸方向第２端部から嵌め込まれた前記治具を回転させることで前記第１のネジが前記第１の被締結体に螺合される締結部材であって、
前記第１のネジと、前記第２のネジとは、軸方向の長さが異なり、
前記柱部材は、前記柱部材に前記軸方向第１端部から前記柱部材を回転させることができる位置まで前記治具が嵌め込まれることを規制する張り出し部を有し、
前記柱部材は、絶縁性の樹脂であり、
前記第１の被締結体及び前記第２の被締結体のうち一方は電池セルに電気的に接続されたハーネスを固定するためのナットであり、他方は前記電池セルを収容する筐体である締結部材。
【請求項２】
軸方向から治具が嵌め込まれる柱部材と、
前記柱部材の軸方向第１端部に設けられているとともに第１の被締結体に締結される第１のネジと、
前記柱部材の軸方向第２端部に設けられているとともに第２の被締結体に締結される第２のネジと、を備え、
前記柱部材の軸方向第２端部から嵌め込まれた前記治具を回転させることで前記第１のネジが前記第１の被締結体に螺合される締結部材であって、
前記第１のネジと、前記第２のネジとは、軸方向の長さが異なり、
前記柱部材は、前記柱部材に前記軸方向第１端部から前記柱部材を回転させることができる位置まで前記治具が嵌め込まれることを規制する張り出し部を有し、
前記柱部材は、絶縁性の樹脂であり、柱部材によって前記第１のネジが前記第２のネジから電気的に絶縁され、
前記第１の被締結体及び前記第２の被締結体のうち一方は電気導体を締結部材に固定するためのナットである締結部材。
【請求項３】
軸方向から治具が嵌め込まれる柱部材と、
前記柱部材の軸方向第１端部に設けられているとともに第１の被締結体に締結される第１のネジと、
前記柱部材の軸方向第２端部に設けられているとともに第２の被締結体に締結される第２のネジと、を備え、
前記柱部材の軸方向第２端部から嵌め込まれた前記治具を回転させることで前記第１のネジが前記第１の被締結体に螺合される締結部材であって、
前記第１のネジと、前記第２のネジとは、軸方向の長さが異なり、
前記柱部材は、前記柱部材に前記軸方向第１端部から前記柱部材を回転させることができる位置まで前記治具が嵌め込まれることを規制する張り出し部を有し、
前記柱部材、前記第１のネジ及び前記第２のネジは金属製であり、
前記第１の被締結体は電池セルであり、前記第２の被締結体は電気導体を前記電池セルに電気的に接続するべく該電気導体を締結部材に固定するためのナットである締結部材。
【請求項４】
前記第１の被締結体が前記筐体であり、前記第２の被締結体が前記ナットである請求項１に記載の締結部材。
【請求項５】
前記張り出し部は、前記柱部材の全周に亘って環状に延びる請求項１〜請求項４のうちいずれか一項に記載の締結部材。
【請求項６】
前記柱部材及び前記張り出し部は、多角形状である請求項５に記載の締結部材。
【請求項７】
前記張り出し部は、前記柱部材の外周の一部から張り出す少なくとも一つの張り出し部である請求項１〜請求項４のうちいずれか一項に記載の締結部材。
【手続補正２】
【補正対象書類名】明細書
【補正対象項目名】０００９
【補正方法】変更
【補正の内容】
【０００９】
これによれば、第１のネジと第２のネジとが電気的に絶縁されるため、電池セルと筐体とが電気的に接続されることによる電池セルの短絡が抑止される。
上記課題を解決する締結部材は、軸方向から治具が嵌め込まれる柱部材と、前記柱部材の軸方向第１端部に設けられているとともに第１の被締結体に締結される第１のネジと、前記柱部材の軸方向第２端部に設けられているとともに第２の被締結体に締結される第２のネジと、を備え、前記柱部材の軸方向第２端部から嵌め込まれた前記治具を回転させることで前記第１のネジが前記第１の被締結体に螺合される締結部材であって、前記第１のネジと、前記第２のネジとは、軸方向の長さが異なり、前記柱部材は、前記柱部材に前記軸方向第１端部から前記柱部材を回転させることができる位置まで前記治具が嵌め込まれることを規制する張り出し部を有し、前記柱部材は、絶縁性の樹脂であり、柱部材によって前記第１のネジが前記第２のネジから電気的に絶縁され、前記第１の被締結体及び前記第２の被締結体のうち一方は電気導体を締結部材に固定するためのナットである締結部材。
上記課題を解決する締結部材は、軸方向から治具が嵌め込まれる柱部材と、前記柱部材の軸方向第１端部に設けられているとともに第１の被締結体に締結される第１のネジと、前記柱部材の軸方向第２端部に設けられているとともに第２の被締結体に締結される第２のネジと、を備え、前記柱部材の軸方向第２端部から嵌め込まれた前記治具を回転させることで前記第１のネジが前記第１の被締結体に螺合される締結部材であって、前記第１のネジと、前記第２のネジとは、軸方向の長さが異なり、前記柱部材は、前記柱部材に前記軸方向第１端部から前記柱部材を回転させることができる位置まで前記治具が嵌め込まれることを規制する張り出し部を有し、前記柱部材、前記第１のネジ及び前記第２のネジは金属製であり、前記第１の被締結体は電池セルであり、前記第２の被締結体は電気導体を前記電池セルに電気的に接続するべく該電気導体を締結部材に固定するためのナットである締結部材。
上記締結部材について、前記第１の被締結体が前記筐体であり、前記第２の被締結体が前記ナットであってもよい。
上記締結部材について、前記張り出し部は、前記柱部材の全周に亘って環状に延びていてもよい。
上記締結部材について、前記柱部材及び前記張り出し部は、多角形状であってもよい。
上記締結部材について、前記張り出し部は、前記柱部材の外周の一部から張り出す少なくとも一つの張り出し部であってもよい。
【手続補正書】
【提出日】平成28年7月15日(2016.7.15)
【手続補正１】
【補正対象書類名】明細書
【補正対象項目名】０００７
【補正方法】変更
【補正の内容】
【０００７】
本発明に係る室内機は、吹出口を有する本体と、前記吹出口に左右方向にそれぞれ設けられ、上下方向の風向を制御する一対の上下風向制御板と、前記一対の上下風向制御板の各々を回動する一対の風向制御モータと、操作信号を出力する操作手段と、前記操作手段からの操作信号に基づいて前記一対の風向制御モータの各々を制御する制御手段と、風向に対応した前記一対の風向制御モータの共通の制御情報と、一方の上下風向制御板と他方の上下風向制御板とのずれを補正するために設定される補正値とが記憶される記憶手段と、を備え、前記制御手段は、一方の上下風向制御板に対応した前記風向制御モータを前記共通の制御情報に基づいて駆動し、他方の上下風向制御板に対応した前記風向制御モータを前記共通の制御情報と前記補正値に基づいて駆動するものである。
【手続補正２】
【補正対象書類名】特許請求の範囲
【補正対象項目名】全文
【補正方法】変更
【補正の内容】
【特許請求の範囲】
【請求項１】
吹出口を有する本体と、
前記吹出口に左右方向にそれぞれ設けられ、上下方向の風向を制御する一対の上下風向制御板と、
前記一対の上下風向制御板の各々を回動する一対の風向制御モータと、
操作信号を出力する操作手段と、
前記操作手段からの操作信号に基づいて前記一対の風向制御モータの各々を制御する制御手段と、
風向に対応した前記一対の風向制御モータの共通の制御情報と、一方の上下風向制御板と他方の上下風向制御板とのずれを補正するために設定される補正値とが記憶される記憶手段と、を備え、
前記制御手段は、
一方の上下風向制御板に対応した前記風向制御モータを前記共通の制御情報に基づいて駆動し、
他方の上下風向制御板に対応した前記風向制御モータを前記共通の制御情報と前記補正値に基づいて駆動する
ことを特徴とする室内機。
【請求項２】
前記補正値は、
前記操作手段が操作され、前記一対の上下風向制御板がそれぞれ回動し、その位置が一致したときの制御情報に基づいて算出される
ことを特徴とする請求項１に記載の室内機。
【請求項３】
前記制御手段は、
前記操作手段に設けられた第１ボタンが操作されることで、前記他方の上下風向制御板を第１方向に回動させるように前記他方の上下風向制御板に対応した前記風向制御モータを制御し、
前記操作手段に設けられた第２ボタンが操作されることで、前記他方の上下風向制御板を第２方向に回動させるように前記他方の上下風向制御板に対応した前記風向制御モータを制御し、
前記補正値は、前記第１ボタン及び前記第２ボタンの操作回数に応じて算出される
ことを特徴とする請求項１又は請求項２に記載の室内機。
【請求項４】
吹出口を有する本体と、
前記吹出口に左右方向にそれぞれ設けられ、上下方向の風向を制御する一対の上下風向制御板と、
前記一対の上下風向制御板の各々を回動する一対の風向制御モータと、
操作信号を出力する操作手段と、
前記操作手段からの操作信号に基づいて前記一対の風向制御モータの各々を制御する制御手段と、
風向に対応した、一方の風向制御モータの第１制御情報と、他方の風向制御モータの第２制御情報とが記憶される記憶手段と、を備え、
前記第１制御情報と前記第２制御情報とは、一方の上下風向制御板と他方の上下風向制御板とのずれに対応して異なった値になっており、
前記制御手段は、
一方の上下風向制御板に対応した前記風向制御モータを前記第１制御情報に基づいて駆動し、
他方の上下風向制御板に対応した前記風向制御モータを前記第２制御情報に基づいて駆動する
ことを特徴とする室内機。
【請求項５】
前記第２制御情報は、
前記操作手段が操作され、前記一対の上下風向制御板がそれぞれ回動し、その位置が一致したときの制御情報に基づいて算出される
ことを特徴とする請求項４に記載の室内機。
【請求項６】
前記制御手段は、
前記操作手段に設けられた第１ボタンが操作されることで、一対の前記上下風向制御板のうち他方の前記上下風向制御板を第１方向に回動させるように該他方の前記上下風向制御板に対応した前記風向制御モータを制御し、
前記操作手段に設けられた第２ボタンが操作されることで、一対の前記上下風向制御板のうち他方の前記上下風向制御板を第２方向に回動させるように該他方の前記上下風向制御板に対応した前記風向制御モータを制御し、
前記第２制御情報は、前記第１ボタン及び前記第２ボタンの操作回数に応じて算出される
ことを特徴とする請求項４又は請求項５に記載の室内機。
【請求項７】
請求項１〜請求項６の何れか一項に記載の室内機を備えた空気調和装置。
【手続補正書】
【提出日】平成28年4月19日(2016.4.19)
【手続補正１】
【補正対象書類名】特許請求の範囲
【補正対象項目名】全文
【補正方法】変更
【補正の内容】
【特許請求の範囲】
【請求項１】
水素ガスタンクから燃料電池へ水素ガスを供給するための水素ガス供給装置であって、
前記水素ガスタンクから供給される前記水素ガスを前記燃料電池へ供給するための水素ガス供給路と、
前記水素ガス供給路に設けられ、前記水素ガスタンクから出力される前記水素ガスを減圧する減圧機構と、
前記水素ガス供給路の前記減圧機構と前記燃料電池との間に設けられ、前記水素ガス供給路により供給される前記水素ガスを前記燃料電池に供給するための圧力に調整する調圧機構と、
前記水素ガス供給路の前記減圧機構と前記調圧機構との間に設けられ、水素吸蔵合金を含むバッファーと、
を備えることを特徴とする水素ガス供給装置。
【請求項２】
請求項１に記載の水素ガス供給装置であって、
前記バッファーは前記水素吸蔵合金を加熱するヒーターを含み、
前記ヒーターは、前記減圧機構と前記調圧機構との間の前記水素ガス供給路の前記水素ガスの圧力を一定に維持するように、前記水素吸蔵合金の加熱量を調整する
ことを特徴とする水素ガス供給装置。
【手続補正２】
【補正対象書類名】明細書
【補正対象項目名】００１１
【補正方法】変更
【補正の内容】
【００１１】
図１は本発明の一実施形態としての燃料電池システムを概略的に示す説明図である。この燃料電池システム１０は、燃料電池搭載車両２０に、燃料電池１００と、水素ガス供給系１２０と、図示しない空気供給系および冷却系と、制御装置２００とを備える。燃料電池１００は、電解質膜の両側にアノードとカソードの両電極を接合させた図示しない膜電極接合体（Membrane Electrode Assembly／ＭＥＡ）を備える発電モジュールを積層して構成され、例えば、車両床下に配置される。そして、この燃料電池（「燃料電池スタック」とも呼ばれる）１００は、後述の水素ガス供給系１２０から供給された水素ガス中の水素と空気供給系から供給された空気中の酸素との電気化学反応を起こして発電し、その発電電力にて前輪ＦＷおよび後輪ＲＷの図示しない駆動用モータ等の負荷を駆動する。
【手続補正３】
【補正対象書類名】明細書
【補正対象項目名】００３１
【補正方法】変更
【補正の内容】
【００３１】
以上説明したように、本実施形態では、インジェクター１２５の一次側圧力が上昇する場合には水素吸蔵合金を用いたバッファー１３０が水素を吸収し、低下する場合にはバッファー１３０が水素を放出することによって、インジェクター１２５の一次側圧力を一定に保つことができる。そして、インジェクター１２５は、一定に保持された一次側圧力に基づいて燃料電池１００への水素ガスの供給流量および圧力を調整することができる。これにより、インジェクター１２５から燃料電池１００への水素ガスの供給流量および圧力の調整を高精度に実行することが可能である。
【手続補正書】
【提出日】平成28年4月15日(2016.4.15)
【手続補正１】
【補正対象書類名】特許請求の範囲
【補正対象項目名】全文
【補正方法】変更
【補正の内容】
【特許請求の範囲】
【請求項１】
決済処理した商品の取引情報に基づいて生成したレシートデータから電子レシートデータを生成して外部装置に送信する電子レシートデータ送信手段と、
前記電子レシートデータの送信後のレシートの再発行の指示に伴い、前記レシートデータに基づいて再発行レシートデータを生成する手段と、
前記生成された再発行レシートデータに基づく印字データを印字部に出力するとともに、前記再発行レシートデータに基づく電子レシートデータを前記外部装置に送信しない制御手段と、
を備える商品販売データ処理装置。
【請求項２】
前記再発行レシートデータを生成する手段は、前記電子レシートデータに含まれるレシート番号の入力に伴って前記再発行レシートデータを生成する、
請求項１に記載の商品販売データ処理装置。
【請求項３】
前記レシートデータに基づいてジャーナルデータを生成する手段、をさらに備え、
前記再発行レシートデータを生成する手段は、前記ジャーナルデータに基づいて再発行レシートデータを生成する、
請求項１または２に記載の商品販売データ処理装置。
【請求項４】
前記再発行レシートデータを生成する手段は、レシートの再発行を示す文字を含む再発行レシートデータを生成する、
請求項１乃至３のいずれか一に記載の商品販売データ処理装置。
【請求項５】
コンピュータを、
決済処理した商品の取引情報に基づいて生成したレシートデータから電子レシートデータを生成して外部装置に送信する電子レシートデータ送信手段と、
前記電子レシートデータの送信後のレシートの再発行の指示に伴い、前記レシートデータに基づいて再発行レシートデータを生成する手段と、
前記生成された再発行レシートデータに基づく印字データを印字部に出力するとともに、前記再発行レシートデータに基づく電子レシートデータを前記外部装置に送信しない制御手段と、
して機能させるためのプログラム。
【手続補正２】
【補正対象書類名】明細書
【補正対象項目名】０００６
【補正方法】変更
【補正の内容】
【０００６】
実施形態の商品販売データ処理装置は、決済処理した商品の取引情報に基づいて生成したレシートデータから電子レシートデータを生成して外部装置に送信する電子レシートデータ送信手段と、前記電子レシートデータの送信後のレシートの再発行の指示に伴い、前記レシートデータに基づいて再発行レシートデータを生成する手段と、前記生成された再発行レシートデータに基づく印字データを印字部に出力するとともに、前記再発行レシートデータに基づく電子レシートデータを前記外部装置に送信しない制御手段と、を備える。
【手続補正３】
【補正対象書類名】明細書
【補正対象項目名】０００７
【補正方法】変更
【補正の内容】
【０００７】
実施形態のプログラムは、コンピュータを、決済処理した商品の取引情報に基づいて生成したレシートデータから電子レシートデータを生成して外部装置に送信する電子レシートデータ送信手段と、前記電子レシートデータの送信後のレシートの再発行の指示に伴い、前記レシートデータに基づいて再発行レシートデータを生成する手段と、前記生成された再発行レシートデータに基づく印字データを印字部に出力するとともに、前記再発行レシートデータに基づく電子レシートデータを前記外部装置に送信しない制御手段と、して機能させる。
【手続補正書】
【提出日】平成28年7月26日(2016.7.26)
【手続補正１】
【補正対象書類名】特許請求の範囲
【補正対象項目名】全文
【補正方法】変更
【補正の内容】
【特許請求の範囲】
【請求項１】
板状の筐体と、
前記筐体の前面に設けられるタッチパネル及び表示部と、
前記筐体と一体的に構成され、決済に係るカードの読み取り処理を行う読み取り部と、を備えるタブレット型の携帯電子機器であって、
前記筐体は、前記携帯電子機器の前面視において略長方形であり、
前記携帯電子機器は、前記カードとしての接触型ＩＣカードの読み取り処理を行う接触型ＩＣ読み取り部と、前記カードとしての磁気カードの読み取り処理を行う磁気読み取り部と、前記カードとしての非接触型ＩＣカードの読み取り処理を行う非接触型ＩＣ読み取り部と、を備え、
前記接触型ＩＣ読み取り部は、接触型ＩＣカードのＩＣチップから電子情報を取得する接触型ＩＣセンサと、接触型ＩＣカードのＩＣチップを前記接触型ＩＣセンサの位置に誘導するために前記筐体に設けられるＩＣ用挿入溝と、を備え、
前記磁気読み取り部は、磁気カードの磁気記録部から磁気情報を取得する磁気センサと、磁気カードの磁気記録部を前記磁気センサの位置に誘導するために前記筐体に設けられる磁気用挿入溝と、を備え、
前記接触型ＩＣ読み取り部及び前記磁気読み取り部は、前記筐体における短手方向に沿う一方の縦側面の側に配置され、
前記非接触型ＩＣ読み取り部は、前記筐体における短手方向に沿う前記一方の縦側面の側又は他方の縦側面の側に配置されており、前記筐体の前面に配置される非接触型ＩＣカードの読み取りが可能であるタブレット型の携帯電子機器。
【請求項２】
前記ＩＣ用挿入溝及び前記磁気用挿入溝は、前記筐体の長手方向外側又は前記筐体の厚さ方向外側に開放している請求項１に記載の携帯電子機器。
【請求項３】
前記ＩＣ用挿入溝は、ＩＣカードのエンボス部に対応する形状を有するエンボス部用溝部を備える請求項１又は２に記載の携帯電子機器。
【手続補正書】
【提出日】平成28年1月4日(2016.1.4)
【手続補正１】
【補正対象書類名】明細書
【補正対象項目名】０００６
【補正方法】変更
【補正の内容】
【０００６】
実施形態の販売データ処理装置は、販売データに関連する電子レシート情報を発行することを指示する第１の入力部と、前記販売データに関連するレシートの印字を指示する第２の入力部と、前記第１の入力部により前記電子レシート情報の発行指示があった場合、前記電子レシート情報を、消費者のコードに対応付けて生成する電子レシート生成手段と、前記電子レシート生成手段で生成した前記電子レシート情報をサーバに送信する送信手段と、前記第２の入力部により前記レシートの印字指示があった場合、前記販売データに関連するレシートをプリンタに印字発行させるレシート印字手段と、を備え、前記電子レシート生成手段は、前記電子レシート情報の生成の際にオフライン状態に陥ったことを検知した場合には、前記販売データに関連する前記レシートを印字する。
実施形態の販売データ処理装置は、オペレータに対して情報を表示するオペレータ用表示部に表示され、販売データに関連する電子レシート情報を発行することを指示する第１の入力部と、前記オペレータ用表示部に表示され、前記販売データに関連するレシートの印字を指示する第２の入力部と、前記第１の入力部により前記電子レシート情報の発行指示があった場合、前記電子レシート情報を、消費者のコードに対応付けて生成する電子レシート生成手段と、前記電子レシート生成手段で生成した前記電子レシート情報をサーバに送信する送信手段と、前記第２の入力部により前記レシートの印字指示があった場合、前記販売データに関連するレシートをプリンタに印字発行させるレシート印字手段と、を備える。
【手続補正２】
【補正対象書類名】特許請求の範囲
【補正対象項目名】全文
【補正方法】変更
【補正の内容】
【特許請求の範囲】
【請求項１】
販売データに関連する電子レシート情報を発行することを指示する第１の入力部と、
前記販売データに関連するレシートの印字を指示する第２の入力部と、
前記第１の入力部により前記電子レシート情報の発行指示があった場合、前記電子レシート情報を、消費者のコードに対応付けて生成する電子レシート生成手段と、
前記電子レシート生成手段で生成した前記電子レシート情報をサーバに送信する送信手段と、
前記第２の入力部により前記レシートの印字指示があった場合、前記販売データに関連するレシートをプリンタに印字発行させるレシート印字手段と、
を備え、
前記電子レシート生成手段は、前記電子レシート情報の生成の際にオフライン状態に陥ったことを検知した場合には、前記販売データに関連する前記レシートを印字する、
ことを特徴とする販売データ処理装置。
【請求項２】
前記レシート印字手段は、前記第２の入力部により前記レシートの印字指示があった場合、前記第１の入力部による前記電子レシート情報の発行指示を待たずに、前記販売データに関連するレシートを印字する、
ことを特徴とする請求項１記載の販売データ処理装置。
【請求項３】
オペレータに対して情報を表示するオペレータ用表示部に表示され、販売データに関連する電子レシート情報を発行することを指示する第１の入力部と、
前記オペレータ用表示部に表示され、前記販売データに関連するレシートの印字を指示する第２の入力部と、
前記第１の入力部により前記電子レシート情報の発行指示があった場合、前記電子レシート情報を、消費者のコードに対応付けて生成する電子レシート生成手段と、
前記電子レシート生成手段で生成した前記電子レシート情報をサーバに送信する送信手段と、
前記第２の入力部により前記レシートの印字指示があった場合、前記販売データに関連するレシートをプリンタに印字発行させるレシート印字手段と、
を備えることを特徴とする販売データ処理装置。
【請求項４】
販売データ処理を実行する販売データ処理装置を制御するコンピュータを、
販売データに関連する電子レシート情報を発行することを指示する第１の入力部と、前記販売データに関連するレシートの印字を指示する第２の入力部と、をオペレータに対して情報を表示するオペレータ用表示部に表示する手段と、
前記第１の入力部により前記電子レシート情報の発行指示があった場合、前記電子レシート情報を、消費者のコードに対応付けて生成する電子レシート生成手段と、
前記電子レシート生成手段で生成した前記電子レシート情報をサーバに送信する送信手段と、
前記第２の入力部により前記レシートの印字指示があった場合、前記販売データに関連するレシートをプリンタに印字発行させるレシート印字手段と、
として機能させるためのプログラム。
【請求項５】
販売データ処理を実行する販売データ処理装置を制御するコンピュータを、
販売データに関連する電子レシート情報を発行することを指示する第１の入力部と、前記販売データに関連するレシートの印字を指示する第２の入力部と、を表示する手段と、
前記第１の入力部により前記電子レシート情報の発行指示があった場合、前記電子レシート情報を、消費者のコードに対応付けて生成する電子レシート生成手段と、
前記電子レシート生成手段で生成した前記電子レシート情報をサーバに送信する送信手段と、
前記第２の入力部により前記レシートの印字指示があった場合、前記販売データに関連するレシートをプリンタに印字発行させるレシート印字手段と、
として機能させ、
前記電子レシート生成手段は、前記電子レシート情報の生成の際にオフライン状態に陥ったことを検知した場合には、前記販売データに関連する前記レシートを印字する、
ためのプログラム。
【請求項６】
販売データ処理装置が処理する販売データに関連する電子レシート情報の発行と前記販売データに関連するレシートの印字とを制御する電子レシートシステムにおけるレシート情報処理方法であって、
前記電子レシート情報の発行指示を受けた場合、消費者のコードに対応付けて前記電子レシート情報を生成する生成ステップと、
前記電子レシート情報をサーバに送信する送信ステップと、
レシートの印字発行の指示を受けた場合、レシートをプリンタに印字発行させる印字情報出力ステップと、
を含み、
前記生成ステップにおいて、前記販売データ処理装置が前記サーバに対してオフラインであった場合には、レシートをプリンタに印字発行させる、
ことを特徴とするレシート情報処理方法。
【請求項７】
販売データに関連する電子レシート情報を発行することを指示する第１の入力部と、前記販売データに関連するレシートの印字を指示する第２の入力部と、をオペレータに対して情報を表示するオペレータ用表示部に備える販売データ処理装置におけるレシート情報処理方法であって、
前記第１の入力部により前記電子レシート情報を発行することの指示を受けた場合、消費者のコードに対応付けて前記電子レシート情報を生成する生成ステップと、
前記電子レシート情報をサーバに送信する送信ステップと、
前記第２の入力部により前記販売データに関連するレシートの出力の指示を受けた場合、前記販売データに関連するレシートをプリンタに印字発行させる印字ステップと、
を含むことを特徴とするレシート情報処理方法。
【手続補正書】
【提出日】平成27年11月18日(2015.11.18)
【手続補正１】
【補正対象書類名】特許請求の範囲
【補正対象項目名】全文
【補正方法】変更
【補正の内容】
【特許請求の範囲】
【請求項１】
受診者が受診を予定している健診項目を入力する受診予定入力手段と、
受診者が受診を予定している健診項目を削除するための基準値と、当該基準値を満たした場合に受診予定から削除される健診項目とが対応付けられた変更条件を入力する変更条件入力手段と、
前記受診予定入力手段により入力した受診予定において受診予定ありとして設定された健診項目であって、前記変更条件入力手段により入力した変更条件において、基準値を満たす場合に受診予定から削除される健診項目について、受診予定を未確定に変更する受診予定変更手段と、
前記受診予定変更手段により変更された受診予定を、携帯記録媒体に記録する記録手段と、
を備えることを特徴とする健診情報処理装置。
【請求項２】
健診結果を入力する健診結果入力手段をさらに備え、
前記受診予定変更手段は、さらに、前記健診結果入力手段により入力された健診結果が前記変更条件の基準値を満たす場合、当該基準値に対応付けられた健診項目を受診予定なしに、当該健診結果が当該基準値を満たさない場合、当該基準値に対応付けられた健診項目を受診予定ありに変更することを特徴とする請求項１に記載の健診情報処理装置。
【請求項３】
前記受診予定入力手段により入力した受診予定において、受診予定ありとして設定された健診項目と、受診予定なしとして設定された健診項目と、受診予定が未確定の健診項目と、をそれぞれ識別可能に表示する表示制御手段をさらに備えることを特徴とする請求項１または２に記載の健診情報処理装置。
【請求項４】
前記表示制御手段は、前記受診予定変更手段により受診予定が変更された健診項目を、他の健診項目と識別可能に表示することを特徴とする請求項３に記載の健診情報処理装置。
【請求項５】
健診情報処理装置の受診予定入力手段が、受診者が受診を予定している健診項目を入力する受診予定入力工程と、
前記健診情報処理装置の変更条件入力手段が、受診者が受診を予定している健診項目を削除するための基準値と、当該基準値を満たした場合に受診予定から削除される健診項目とが対応付けられた変更条件を入力する変更条件入力工程と、
前記健診情報処理装置の受診予定変更手段が、前記受診予定入力工程により入力した受診予定において受診予定ありとして設定された健診項目であって、前記変更条件入力工程により入力した変更条件において、基準値を満たす場合に受診予定から削除される健診項目について、受診予定を未確定に変更する受診予定変更工程と、
前記健診情報処理装置の記録手段が、前記受診予定変更工程により変更された受診予定を、携帯記録媒体に記録する記録工程と、
を備えることを特徴とする健診情報処理方法。
【請求項６】
健診情報処理装置において実行可能なプログラムであって、
前記健診情報処理装置を、
受診者が受診を予定している健診項目を入力する受診予定入力手段と、
受診者が受診を予定している健診項目を削除するための基準値と、当該基準値を満たした場合に受診予定から削除される健診項目とが対応付けられた変更条件を入力する変更条件入力手段と、
前記受診予定入力手段により入力した受診予定において受診予定ありとして設定された健診項目であって、前記変更条件入力手段により入力した変更条件において、基準値を満たす場合に受診予定から削除される健診項目について、受診予定を未確定に変更する受診予定変更手段と、
前記受診予定変更手段により変更された受診予定を、携帯記録媒体に記録する記録手段として機能させることを特徴とするプログラム。
【手続補正書】
【提出日】平成28年2月22日(2016.2.22)
【手続補正１】
【補正対象書類名】特許請求の範囲
【補正対象項目名】全文
【補正方法】変更
【補正の内容】
【特許請求の範囲】
【請求項１】
印刷データと設定情報とを含む印刷ジョブを用いて描画データを作成する情報処理装置であって、
前記設定情報を各描画データ作成手段用の装置用設定情報に変換する変換手段と、
印刷データと前記装置用設定情報から描画データを作成する複数の描画データ作成手段と、
それぞれの描画データ作成手段用に変換された前記装置用設定情報と印刷データとを用いて、各描画データ作成手段にそれぞれ描画データを作成させる描画制御手段と
複数の前記描画データ作成手段がそれぞれ作成した描画データを表示部に表示する表示手段と、
描画データの選択を受け付ける選択受付手段と、
を有することを特徴とする情報処理装置。
【請求項２】
印刷ジョブを取得する印刷ジョブ取得手段と、
前記印刷ジョブ取得手段が前記設定情報を含まない印刷ジョブを取得した場合、標準的な設定値が設定された前記設定情報を印刷ジョブに添付する設定情報添付手段と、を有し、
前記変換手段は、前記設定情報添付手段が添付した前記設定情報を各描画データ作成手段用の装置用設定情報に変換する、
ことを特徴とする請求項１記載の情報処理装置。
【請求項３】
前記変換手段は、前記設定情報に予め定められた記述があるか否かに基づき、前記設定情報が、前記設定情報添付手段が添付したものか否かを判別する、
ことを特徴とする請求項２記載の情報処理装置。
【請求項４】
前記設定情報は、各描画データ作成手段ごとに異なる形式で作成されており、
前記設定情報添付手段は、各描画データ作成手段の形式で標準的な設定値が設定された前記設定情報を印刷ジョブに添付し、
前記変換手段は、前記設定情報添付手段が添付した各描画データ作成手段の形式の前記設定情報を各描画データ作成手段用の装置用設定情報に変換する、
ことを特徴とする請求項２記載の情報処理装置。
【請求項５】
前記変換手段は、前記設定情報に記述された描画データ作成手段を判別するための記述を検出して、各設定情報を各描画データ作成手段用の装置用設定情報に変換する、
ことを特徴とする請求項４記載の情報処理装置。
【請求項６】
前記表示手段は、各描画データ作成手段が作成した描画データを比較して、他の描画データと異なる領域を強調して表示する、
ことを特徴とする請求項１〜５いずれか１項記載の情報処理装置。
【請求項７】
印刷データと設定情報とを含む印刷ジョブを用いて描画データを作成する情報処理方法であって、
変換手段が、前記設定情報を各描画データ作成手段用の装置用設定情報に変換するステップと、
複数の描画データ作成手段が、印刷データと前記装置用設定情報から描画データを作成するステップと、
描画制御手段が、描画データ作成手段用に変換された前記装置用設定情報と印刷データとを用いて、各描画データ作成手段にそれぞれ描画データを作成させるステップと、
表示手段が、複数の前記描画データ作成手段がそれぞれ作成した描画データを表示部に表示するステップと、
選択受付手段が、描画データの選択を受け付けるステップと、
を有することを特徴とする情報処理方法。
【請求項８】
印刷データと設定情報とを含む印刷ジョブを用いて描画データを作成する情報処理装置に、
前記設定情報を各描画データ作成手段用の装置用設定情報に変換する変換ステップと、
印刷データと前記装置用設定情報から描画データを作成する複数の描画データ作成ステップと、
描画データ作成手段用に変換された前記装置用設定情報と印刷データとを用いて、各描画データ作成手段にそれぞれ描画データを作成させる描画制御ステップと、
複数の前記描画データ作成手段がそれぞれ作成した描画データを表示部に表示する表示ステップと、
描画データの選択を受け付ける選択受付ステップと、
を実行させるプログラム。
【請求項９】
印刷データと設定情報とを含む印刷ジョブを用いて描画データを作成する情報処理装置に、
前記設定情報を各描画データ作成手段用の装置用設定情報に変換する変換ステップと、
各描画データ作成手段にそれぞれ描画データを作成させるために、描画データ作成手段用に変換された前記装置用設定情報と印刷データとを出力する出力ステップと、
複数の前記描画データ作成手段がそれぞれ作成した描画データを表示部に表示する表示ステップと、
描画データの選択を受け付ける選択受付ステップと、
を実行させるプログラム。
【手続補正書】
【提出日】平成28年2月22日(2016.2.22)
【手続補正１】
【補正対象書類名】特許請求の範囲
【補正対象項目名】全文
【補正方法】変更
【補正の内容】
【特許請求の範囲】
【請求項１】
印刷データと設定情報とを含む印刷ジョブを用いて描画データを作成する情報処理装置であって、
前記設定情報を複数の方法で当該情報処理装置が扱う装置用設定情報に変換する変換手段と、
前記設定情報と前記装置用設定情報との比較結果に基づき、予め定められた印刷ジョブの範囲の、前記装置用設定情報の評価値を前記方法ごとに決定する評価値決定手段と、
前記評価値が他よりも高い前記方法で変換された前記装置用設定情報と印刷データとを用いて、前記範囲の描画データを作成する描画データ作成手段と、
を有することを特徴とする情報処理装置。
【請求項２】
複数の前記描画データ作成手段を有し、
前記変換手段は、それぞれの前記描画データ作成手段のために用意された変換テーブルを用いた前記方法で前記設定情報を前記装置用設定情報に変換するものであり、
前記評価値決定手段は、前記描画データ作成手段ごとに前記範囲の前記評価値を決定し、
前記範囲の前記評価値が他よりも高い前記描画データ作成手段が、該描画データ作成手段のために用意された前記変換テーブルを用いて前記設定情報から変換された前記範囲の前記装置用設定情報と印刷データとを用いて、該範囲の描画データを作成する、
ことを特徴とする請求項１記載の情報処理装置。
【請求項３】
前記変換手段は、前記設定情報に記述された前記描画データ作成手段を判別するための記述を検出して前記変換テーブルを選択し、選択した前記変換テーブルを用いて前記設定情報から前記装置用設定情報へ変換するものであり、
前記描画データ作成手段を判別するための記述を検出できない場合、前記変換手段は全ての前記変換テーブルを用いて、１つの前記設定情報を複数の前記装置用設定情報に変換し、
前記評価値決定手段は、前記範囲の前記装置用設定情報の評価値を前記描画データ作成手段ごとに決定する、ことを特徴とする請求項２記載の情報処理装置。
【請求項４】
前記評価値決定手段が前記評価値を決定する印刷ジョブの前記範囲の設定を受け付ける範囲設定受け付け手段を有し、
前記評価値決定手段は、前記範囲設定受け付け手段が受け付けた印刷ジョブの前記範囲ごと、かつ、前記描画データ作成手段ごとに前記評価値を決定する、
ことを特徴とする請求項２又は３記載の情報処理装置。
【請求項５】
前記範囲は印刷ジョブの１ページ、印刷ジョブの全体、章、又は、表紙と表紙以外のいずれかである、ことを特徴とする請求項４記載の情報処理装置。
【請求項６】
前記範囲設定受け付け手段は、一覧表示された印刷ジョブに対し個別に、ページ単位又は印刷ジョブ単位のどちらで前記評価値を決定するかの設定を受け付ける、
ことを特徴とする請求項４記載の情報処理装置。
【請求項７】
前記変換手段は、前記設定情報の項目ごとに第１の設定値を、前記装置用設定情報の項目の第２の設定値に変換するものであり、
前記評価値決定手段は、前記装置用設定情報の項目ごとに、前記設定情報の前記第１の設定値と前記装置用設定情報の前記第２の設定値が近いほど高い数値を与え、前記範囲の各項目の数値の合計を、前記描画データ作成手段の評価値に決定する、
ことを特徴とする請求項２〜６いずれか１項記載の情報処理装置。
【請求項８】
前記評価値決定手段は、ページを前記範囲として前記評価値を決定する場合、
前記設定情報にページを指定する記述を検出して、ページ内の各項目の数値の合計を前記描画データ作成手段における指定されたページの評価値に決定し、
前記ページの前記評価値が他よりも高い前記描画データ作成手段が、ページごとに、該描画データ作成手段のために用意された前記変換テーブルを用いて前記設定情報から変換された前記ページの前記装置用設定情報と印刷データとを用いて、該ページの描画データを作成する、ことを特徴とする請求項７記載の情報処理装置。
【請求項９】
前記第１の設定値と前記第２の設定値とに対応づけて、前記第１の設定値と前記第２の設定値が近いほど高い前記数値が与えられた評価値算出用テーブルを有し、
前記評価値決定手段は、前記評価値算出用テーブルを参照して、前記装置用設定情報の項目ごとに前記数値を与え、前記範囲の各項目の数値の合計を、前記描画データ作成手段の評価値に決定する、ことを特徴とする請求項７又は８記載の情報処理装置。
【請求項１０】
前記評価値算出用テーブルの前記項目ごとに前記数値の設定を受け付ける、評価値算出用テーブル設定受付手段を有し、
前記評価値決定手段は、前記評価値算出用テーブル設定受付手段が設定を受け付けた前記評価値算出用テーブルを参照して、前記描画データ作成手段の評価値を決定する、
ことを特徴とする請求項９記載の情報処理装置。
【請求項１１】
複数の前記方法で算出された前記範囲の前記評価値のうち最も高い前記評価値が閾値未満の場合、前記範囲の描画データを作成しない旨の情報を表示部に表示する、
ことを特徴とする請求項１〜１０いずれか１項記載の情報処理装置。
【請求項１２】
複数の前記方法で算出された前記範囲の前記評価値のうち最も高い前記評価値が閾値未満の場合、該範囲の描画データを強制的に作成するという設定を受け付ける設定受け付け手段、を有することを特徴とする請求項１１記載の情報処理装置。
【請求項１３】
印刷データと設定情報とを含む印刷ジョブを用いて描画データを作成する情報処理方法であって、
変換手段が、前記設定情報を複数の方法で情報処理装置が扱う装置用設定情報に変換するステップと、
評価値決定手段が、前記設定情報と前記装置用設定情報との比較結果に基づき、予め定められた印刷ジョブの範囲の、前記装置用設定情報の評価値を前記方法ごとに決定するステップと、
描画データ作成手段が、前記評価値が他よりも高い前記方法で変換された前記装置用設定情報と印刷データとを用いて、前記範囲の描画データを作成するステップと、
を有することを特徴とする情報処理方法。
【請求項１４】
印刷データと設定情報とを含む印刷ジョブを用いて描画データを作成する情報処理装置に、
前記設定情報を複数の方法で当該情報処理装置が扱う装置用設定情報に変換する変換ステップと、
前記設定情報と前記装置用設定情報との比較結果に基づき、予め定められた印刷ジョブの範囲の、前記装置用設定情報の評価値を前記方法ごとに決定する評価値決定ステップと、
前記評価値が他よりも高い前記方法で変換された前記装置用設定情報と印刷データとを用いて、前記範囲の描画データを作成する描画データ作成ステップと、
を実行させることを特徴とするプログラム。
【請求項１５】
印刷データと設定情報とを含む印刷ジョブを用いて描画データを作成する情報処理装置に、
前記設定情報を複数の方法で当該情報処理装置が扱う装置用設定情報に変換する変換ステップと、
前記設定情報と前記装置用設定情報との比較結果に基づき、予め定められた印刷ジョブの範囲の、前記装置用設定情報の評価値を前記方法ごとに決定する評価値決定ステップと、
前記範囲の描画データを作成するために、前記評価値が他よりも高い前記方法で変換された前記装置用設定情報と印刷データとを出力する出力ステップと、
を実行させることを特徴とするプログラム。
【手続補正書】
【提出日】平成28年2月22日(2016.2.22)
【手続補正１】
【補正対象書類名】特許請求の範囲
【補正対象項目名】全文
【補正方法】変更
【補正の内容】
【特許請求の範囲】
【請求項１】
印刷ジョブを用いて描画データを作成する情報処理装置であって、
前記印刷ジョブを用いて描画データを作成する複数の描画データ作成手段と、
前記印刷ジョブを解析して、該印刷ジョブを用いて描画データを作成する前記描画データ作成手段を判断する判断手段と、
前記判断手段の判断結果に応じて前記印刷ジョブの設定の表示画面を切り替えて表示部に表示する画面表示手段と、
を有することを特徴とする情報処理装置。
【請求項２】
前記画面表示手段は、前記判断手段が判断した前記描画データ作成手段ごとに予め用意されている前記表示画面を前記表示部に表示する、
ことを特徴とする請求項１記載の情報処理装置。
【請求項３】
前記印刷ジョブは印刷データと設定情報とを含み、
前記設定情報は、前記判断手段が判断した前記描画データ作成手段と前記印刷ジョブの設定の項目に応じて、設定可能な設定値が決まっており、
前記画面表示手段は、前記設定可能な前記設定値を表示する、
ことを特徴とする請求項１又は２記載の情報処理装置。
【請求項４】
前記設定情報は前記判断手段が判断した前記描画データ作成手段と前記印刷ジョブの設定の項目に応じて、設定可能な前記設定値が決まっており、
前記画面表示手段は、前記判断手段が判断した前記描画データ作成手段の前記設定情報における前記設定可能な前記設定値への変更を受け付け、
前記描画データ作成手段は、前記設定可能な前記設定値へ変更された前記設定情報を含む前記印刷ジョブを用いて描画データを作成する、
ことを特徴とする請求項３に記載の情報処理装置。
【請求項５】
前記画面表示手段は、前記判断手段が判断した前記描画データ作成手段の前記設定情報において前記設定可能な前記設定値のみを選択可能に表示し、
前記描画データ作成手段は、選択を受け付けた前記設定可能な前記設定値へ変更された前記印刷ジョブを用いて描画データを作成する、
ことを特徴とする請求項３又は４記載の情報処理装置。
【請求項６】
前記画面表示手段は、前記判断手段が判断した前記描画データ作成手段が扱う単位で、前記設定情報が含む前記設定値を表示する、
ことを特徴とする請求項３〜５いずれか１項記載の情報処理装置。
【請求項７】
前記設定情報に集約印刷の設定が含まれている場合、
前記画面表示手段は、前記判断手段が判断した前記描画データ作成手段に応じて該描画データ作成手段が描画データを作成できる集約印刷の集約態様を判断し、該集約態様の前記設定値のみを表示する、ことを特徴とする請求項３又は４記載の情報処理装置。
【請求項８】
前記画面表示手段は、前記判断手段が判断した前記描画データ作成手段が描画データを作成できる前記集約態様の前記設定値へのみ変更を受け付け、
前記描画データ作成手段は、変更を受け付けた前記設定値に対応する前記集約態様の描画データを作成する、ことを特徴とする請求項７記載の情報処理装置。
【請求項９】
前記設定情報に用紙に対する印刷位置のマージンの設定が含まれている場合、
前記画面表示手段は、前記判断手段が判断した前記描画データ作成手段が扱う単位でマージンの前記設定値を表示する、ことを特徴とする請求項６記載の情報処理装置。
【請求項１０】
前記画面表示手段は、表示した前記マージンの前記設定値が変更された場合、予め定められた上限値及び下限値と比較して、変更された前記設定値が上限値より大きい場合は、上限値に修正して表示し、変更された前記設定値が下限値より小さい場合は、下限値に修正して表示する、ことを特徴とする請求項９記載の情報処理装置。
【請求項１１】
印刷ジョブを用いて描画データを作成する情報処理装置であって、
前記印刷ジョブを用いて描画データを作成する複数の描画データ作成手段と、
前記印刷ジョブを解析して、該印刷ジョブを用いて描画データを作成する前記描画データ作成手段を判断する判断手段と、
前記判断手段の判断結果に応じて外部装置に送信する前記印刷ジョブの設定の表示画面を切り替える画面送信手段と、
を有することを特徴とする情報処理装置。
【請求項１２】
印刷ジョブを用いて描画データを作成する情報処理システムであって、
前記印刷ジョブを記憶する印刷ジョブ記憶手段と、
前記印刷ジョブを用いて描画データを作成する複数の描画データ作成手段と、
前記印刷ジョブを解析して、該印刷ジョブを用いて描画データを作成する前記描画データ作成手段を判断する判断手段と、
前記判断手段の判断結果に応じて前記印刷ジョブの設定の表示画面を切り替えて表示部に表示する画面表示手段と、
を有することを特徴とする情報処理システム。
【請求項１３】
印刷データと設定情報とを含む印刷ジョブを用いて、複数の描画データ作成手段のいずれか１つ以上に描画データを作成させる情報処理装置に、
前記印刷ジョブを解析して、該印刷ジョブを用いて描画データを作成する前記描画データ作成手段を判断する判断ステップと、
前記判断ステップの判断結果に応じて前記印刷ジョブの設定の表示画面を切り替えて表示部に表示する画面表示ステップと、
前記判断ステップで判断された前記描画データ作成手段を用いて、前記画面表示ステップで表示された前記印刷ジョブから描画データを作成させるステップと、
を実行させるプログラム。
【請求項１４】
印刷データと設定情報とを含む印刷ジョブを用いて、複数の描画データ作成手段のいずれか１つ以上に描画データを作成させる情報処理装置に、
前記印刷ジョブを解析して、該印刷ジョブを用いて描画データを作成する前記描画データ作成手段を判断する判断ステップと、
前記判断ステップの判断結果に応じて前記印刷ジョブの設定の表示画面を切り替えて表示部に表示する画面表示ステップと、
前記判断ステップで判断された前記描画データ作成手段に対して、前記画面表示ステップで表示された前記印刷ジョブを出力するステップと、
を実行させるプログラム。
【手続補正書】
【提出日】平成28年2月22日(2016.2.22)
【手続補正１】
【補正対象書類名】特許請求の範囲
【補正対象項目名】全文
【補正方法】変更
【補正の内容】
【特許請求の範囲】
【請求項１】
印刷データと設定情報とを含む印刷ジョブを用いて描画データを作成する情報処理装置であって、
前記印刷データに含まれる特徴記述を検出する記述検出手段と、
前記印刷データ、前記特徴記述、及び、前記設定情報を描画データ作成手段が実行する命令群に変換する変換手段と、
前記命令群を実行して描画データを作成する前記描画データ作成手段と、
を有することを特徴とする情報処理装置。
【請求項２】
前記記述検出手段は、検出した前記特徴記述を、複数の前記描画データ作成手段が対応している対応印刷データと、前記命令群の属性情報とに変換し、
前記変換手段は、前記印刷データ、前記対応印刷データ、前記属性情報、及び、前記設定情報を前記命令群に変換する、
ことを特徴とする請求項１記載の情報処理装置。
【請求項３】
前記特徴記述に前記対応印刷データ又は前記属性情報の少なくとも一方が対応づけられた記述変換テーブルを有し、
前記記述検出手段は、前記印刷データから前記記述変換テーブルに含まれる前記特徴記述を検出し、該特徴記述を前記対応印刷データ又は前記属性情報の少なくとも一方に変換する、ことを特徴とする請求項２記載の情報処理装置。
【請求項４】
前記描画データ作成手段は、前記印刷データの所定単位の記述を取得した場合に、該記述が指定する印刷設定情報を返すものであり、
前記記述検出手段は、前記描画データ作成手段が前記所定単位の記述に対して返した前記印刷設定情報と前記記述が異なる場合に、前記記述を前記特徴記述として検出し、前記描画データ作成手段が返した前記印刷設定情報を前記対応印刷データ又は前記属性情報の少なくとも一方に変換する、
ことを特徴とする請求項２記載の情報処理装置。
【請求項５】
前記設定情報を当該情報処理装置が扱う装置用設定情報に変換する装置用設定情報作成手段を有し、
前記変換手段は、前記設定情報から変換された前記装置用設定情報、及び、前記印刷データを前記命令群に変換するものであり、
前記記述検出手段は、前記設定情報に含まれるべき情報を含む前記特徴記述から前記装置用設定情報を検出し、
前記変換手段は、前記装置用設定情報、前記印刷データから検出された前記装置用設定情報、及び、前記印刷データを前記命令群に変換する、
ことを特徴とする請求項２又は３記載の情報処理装置。
【請求項６】
前記変換手段は、前記印刷データ、及び、前記装置用設定情報を前記命令群に変換した後、
前記特徴記述から変換された前記対応印刷データ又は前記属性情報の少なくとも一方を用いて前記命令群を更新する、
ことを特徴とする請求項５記載の情報処理装置。
【請求項７】
複数の前記描画データ作成手段を有し、
前記特徴記述は、特定の前記描画データ作成手段が処理可能な記述であり、
前記特徴記述が前記対応印刷データ又は前記属性情報の少なくとも一方に変換されることで、
前記変換手段が前記印刷データ、前記対応印刷データ、前記属性情報、及び、前記設定情報から変換した前記命令群を、任意の前記描画データ作成手段が実行する、
ことを特徴とする請求項２記載の情報処理装置。
【請求項８】
印刷データと設定情報とを含む印刷ジョブを用いて描画データを作成する情報処理方法であって、
記述検出手段が、前記印刷データに含まれる特徴記述を検出するステップと、
変換手段が、前記印刷データ、前記特徴記述、及び、前記設定情報を描画データ作成手段が実行する命令群に変換するステップと、
前記描画データ作成手段が、前記命令群を実行して描画データを作成するステップと、
を有することを特徴とする情報処理方法。
【請求項９】
印刷データと設定情報とを含む印刷ジョブを取得して描画データを作成する情報処理装置に、
前記印刷データに含まれる特徴記述を検出する記述検出ステップと、
前記印刷データ、前記特徴記述、及び、前記設定情報を描画データ作成手段が実行する命令群に変換する変換ステップと、
前記命令群を実行して描画データを作成する描画データ作成ステップと、
を実行させるプログラム。
【請求項１０】
印刷データと設定情報とを含む印刷ジョブを取得して描画データを作成する情報処理装置に、
前記印刷データに含まれる特徴記述を検出する記述検出ステップと、
前記印刷データ、前記特徴記述、及び、前記設定情報を描画データ作成手段が実行する命令群に変換する変換ステップと、
前記命令群を実行して描画データを作成する前記描画データ作成手段に対して、前記印刷ジョブを出力する出力ステップと、を実行させるプログラム。